(57)【要約】【課題】従来食材を濾過するのに手間がかかった。食材をザルにあける必要があったからである。それを避けるため鍋（容器）の開口面を網で塞ぐような濾過器具が考案された。これは網を鍋（容器）のサイズに合わせる必要ができるので、一つの濾過器具ではどんなサイズの鍋（容器）にも対応できなかった。鍋(容器)の開口縁を塞ぐので料理の作業性も悪かった。【解決手段】鍋（容器）の開口面に対して垂直に、つまり鍋(容器)の側面に濾過器具を取り付けた。この濾過器具のフィルターの開口縁に鍋（容器）を把持する把持部材を取り付けワンタッチで濾過器具を鍋（容器）に着脱できるようにした。鍋の開口面を塞がないので作業性もよい。【選択図】図３
2014210204.tif 000002
【特許請求の範囲】
【請求項１】
濾過しようとする内容物が収納されている上面開放型の容器の側面に着脱自在に装着される濾過器具であって、フィルターの開口縁に、前記容器の側面を把持する把持部材が設けられていることを特徴とする濾過器具。
【請求項２】
前記把持部材は、前記容器の側面を把持したときに、前記フィルターの開口面が、把持される前記容器の側面に対して、４５度以内の角度となるように、形成されている請求項１記載の濾過器具。
【請求項３】
前記把持部材は、前記フィルターの開口縁の一部が延出し、折曲形成されている請求項１又は請求項２記載の濾過器具。
【請求項４】
前記把持部材は、開閉自在でありかつ前記容器の側面を把持する方向に弾性的に付勢されたクリップ型である。
当該クリップは、前記把持部材が前記容器の側面に装着されたときに、前記フィルターの一部が前記容器の開口縁よりも上方に位置するように、前記容器の開口縁に係止される
ストッパーを有する、請求項１又は２に記載の濾過器具。
【請求項５】
前記クリップは、指にて把持することにより前記弾性的な付勢力に抗して開くことを可能にするつまみを有する、請求項４に記載の濾過器具。
【請求項６】
前記フィルターは、前記把持部材が前記容器の側面に装着されたときに、前記容器の開口縁に沿って弾性的に湾曲可能な網材、または濾過可能な材質でできた濾過部材により形成されている請求項１、４又は５に記載の濾過器具。
【請求項７】
前記フィルターは、その中央においてのみ液の通過を許すように、当該中央にのみ網、または濾過可能な材質でできた濾過部材を有する、請求項１ないし５の何れかに記載の濾過器具。
【請求項８】
前記フィルターは、漏斗状であり、注ぎ口に網または、濾過可能な材質でできた濾過部材が形成されている請求項７に記載の濾過器具。
【発明の詳細な説明】
【技術分野】
【０００１】
本発明は、濾過器具に関する。
【背景技術】
【０００２】
特許文献１のように鍋に蓋型の湯でこぼしネットを取り付け。湯水をこぼしたり、水を切る。
またこのネットを取り付けるのに片手鍋用では二つのストッパーと一つのハンドル、両手鍋用には二つのハンドルを付けている。
【０００３】
特許文献２のように鍋の内側に網を直接にクリップで挟みつけている。クリップは網の外周の一部とし、クリップに対して垂直方向に網を一体化している。
【０００４】
特許文献３のように鍋の淵に沿って半月状の網を作りそれに取っ手を取り付け、それを鍋の取っ手に重ねるようにして持つ。
【先行技術文献】
【特許文献】
【０００５】
【特許文献１】登録実用新案第３０７２９２８号公報
【特許文献２】実用新案公開平７−４４２８８号公報
【特許文献３】実用新案第３０３５０３４号公報
【発明の概要】
【発明が解決しようとする課題】
【０００６】
本発明が解決しようとする第１課題
鍋（容器）の開口面を塞ぐ従来の着脱式の濾過器具の場合、鍋(容器)のサイズにぴったりと合わせる必要があるので、一つの濾過器具で色んなサイズの鍋(容器)に適応できなかった。
【０００７】
本発明が解決しようとする第２課題
鍋（容器）で濾過した液体を、別の容器に注ぐ場合、その容器の開口面が小さいと液体がこぼれやすい。
【０００８】
本発明はこのような従来の構成が有していた問題を解決しようとするものであり、鍋の開口面を塞がないので、料理の作業性も損なうことなく、鍋(容器)がどのようなサイズであれ又次に注ぐべき容器がどんなものであれ、すべてワンタッチで解決できるような濾過器具を実現することを目的とするものである。
【課題を解決するための手段】
【０００９】
第１課題を解決するために、濾過器具を鍋（容器）の側面、すなわち鍋（容器）の開口面に対して濾過器具を垂直に設けた。
【００１０】
第２課題を解決する為に、濾過器具のフィルターの中央部のみ液体が濾過可能な網状にした
（図１８）。また濾過器具を漏斗状（図１９）にした。
【発明の効果】
【００１１】
本発明の濾過器具は鍋(容器)の開口面に対して垂直に装着されているため別に濾過器具(ざる等)を用意する必要がなく、又どのようなサイズの鍋（容器）にもワンタッチで着脱自在である。鍋（容器）を片手で持ち楽に鍋（容器）の内容物を濾過することができるし、熱い鍋(容器)の場合は両手で鍋(容器)を持ちながら漉すことができ安全である。またつぎに注ぐべき容器の開口面がどのようなサイズであっても簡単に注ぐことができる。鍋(容器)の開口面を塞がないので濾過器具を付けたまま料理をすることができ作業性もよい。
【図面の簡単な説明】
【００１２】
【図１】本発明に係る濾過器具１００の正面図である。フィルターは半円球状の網材でできている。
【図２】本発明に係る濾過器具１００の側面図である。
【図３】濾過器具１００を鍋に取り付けたところの斜視図である。
【図４】濾過器具１００を鍋（容器）４の側面に取り付けたときの側面図である。鍋(容器）は透明である。
【図５】本発明に係る濾過器具１００を鍋の側面に対して４５度以内の角度で取り付けたところの側面図である。鍋（容器）は透明である
【図６】本発明に係る濾過器具を実際に使用しているところの側面図である。鍋（容器）は透明である。
【図７】本発明に係る濾過器具２００の正面図である。
【図８】図７に記載の濾過器具を鍋に取り付けたところの斜視図である。
【図９】本発明に係る濾過器具２００を鍋の側面に取り付けたところの側面図である。容器は透明である。
【図１０】濾過器具２００を使用しているところの側面図である。鍋(容器)は透明である。
【図１１】濾過器具２００Aを鍋に取り付けたところの側面図である。鍋(容器)は透明である。
【図１２】濾過器具２００Aを使用しているところの側面図である。鍋(容器)は透明である。
【図１３】本発明に係る濾過器具の鍋の把持部をクリップ型にした濾過器具３００の正面図である。
【図１４】濾過器具３００の側面図である。
【図１５】濾過器具３００を鍋に取り付けたところの斜視図である。
【図１６】濾過器具３００を鍋にとりつけたところの側面図である。鍋(容器)は透明である。
【図１７】濾過器具２００の把持部材をクリップにし、鍋(容器)に取り付けたところの    濾過器具４００の斜視図である。
【図１８】フィルターの中央部に網を有する請求項７の濾過器具５００である。
【図１９】本発明に係る濾過器具６００の側面図である。フィルターは漏斗状である。
【図２０】濾過器具２００と鍋(容器)の間にできる隙間を埋めるパッキングを濾過器具    ２００に取り付け鍋(容器)に取り付けたところの斜視図である。
【発明を実施するための形態】
【００１３】
以下本発明にかかわる濾過器具に関する最良の実施形態について図面を参照しながら説明する。
【００１４】
図１は本発明の請求項１の濾過器具１００の正面図であり、この濾過器具は鍋（上面開放型の容器）の側面に着脱自在に装着される濾過器具であって、半円球状のフィルター２の開口縁には前記容器の側面を把持する把持部材３が設けられている。１は濾過器具１００を使用した後、鍋(容器）から濾過器具１００を取り外す時に使用する取っ手である。特に濾過器具が調理による加熱で熱くなっているとき、この取っ手１により鍋(容器）から安全に取り外すことができる。２はフィルターであり、フィルターの素材は熱に耐えるものである。
【００１５】
図２は濾過器具１００の側面図である。１はフィルターの取っ手であり、２はフィルターであり、３は鍋(容器)を把持する把持部材である。
【００１６】
図３は濾過器具１００を鍋に取り付けたところの斜視図である。１は濾過器具１００の取っ手であり、２は濾過器具１００のフィルターであり、３は濾過器具１００に取り付けられた鍋(容器）の側面を挟んで把持する把持部材である。４は鍋(容器)であり６は液体で５は固形物である。鍋(容器)は不透明なので見えないところは点線で表している。
【００１７】
図４は濾過器具１００を鍋(容器)４の側面にとりつけたところの側面図である。１はフィルターの取っ手であり２はフィルターであり３は鍋(容器)を把持するためフィルターにとりつけられた把持部材である。鍋(容器）が透明なので鍋(容器)の内側の把持部材は見えている。
【００１８】
図５は濾過器具１００の開口面が、鍋（容器）４の側面に対して４５度以内の角度となるように鍋(容器)４に把持部材３で取り付けたところの側面図である。鍋(容器)４は透明であるため  鍋(容器)の把持部材３と中の具財５と液体６が見えている。
【００１９】
図６は鍋(容器）４に濾過器具１００を取り付けて調理済みの鍋(容器）４を傾けて鍋(容器)の中の固形物５をフィルター２を通して濾過しながら、次に注ぐべき容器４’に注いでいるところの側面図である。鍋(容器)４をゆっくり傾けると固形物５の一部がフィルター２にひっかかり水分６だけが鍋（容器）４’に注がれる。鍋(容器)は透明であるため鍋(容器)の内側の把持部材３が見えている。鍋(容器９の内容物も見えている。
【００２０】
図７は請求項６の濾過器具２００の正面図である。１は濾過器具２００を鍋(容器）４から外す時の取っ手である。２は濾過器具２００のフィルターである。フィルターは弾性的に湾曲可能な網材により形成されており、どのようなサイズの鍋(容器)の側面にもピッタリとフィットする。鍋に取り付けるときは、フィルターの両側縁の中程aから延出している把持部材３で鍋(容器)４の側面を挟むように取り付ける(嵌着する)。
【００２１】
図８は鍋(容器）４に濾過器具２００を把持部材３で鍋(容器）４の側面に取り付け(嵌着したところの斜視図である。１は取っ手 であり、２はフィルターであり３は把持部材である。aから把持部材が延出している
【００２２】
図9は濾過器具２００を鍋(容器)4の側面に取り付けたところの側面図である。１はフィルターを外すときの取っ手であり、２はフィルター２００であり３は鍋(容器)４を把持する把持部材である。本来なら鍋(容器)の内側の把持部材３は見えないのであるが容器が透明であるので見えている。固形物５液体６も見えている。
【００２３】
図１０は濾過器具２００を使用して鍋(容器)４の内容物を漉しているところである。
１はフィルターの取っ手であり、２はフィルター、３はフィルター２００に取り付けた
把持部材でありフィルター２の両側縁の点ａより延出している。本来なら把持部材や鍋(容器）の内容物は見えないのであるが鍋(容器）が透明であるため見えている。  
【００２４】
図１１は濾過器具２００の上端部が湾曲していない濾過器具２００Ａである。
１は濾過器具２００Ａの取っ手であり２はフィルターであり３はフィルターに取り付けてある鍋(容器)４を把持する濾過器具の把持部材である。鍋(容器)４は透明であるため本来なら見えていない把持部材３が見えている。内容物も見えている。
【００２５】
図１２は上記濾過器具２００Ａを使用しているところの側面図である。
１は濾過器具２００Ａの取っ手であり、２はフィルターであり３はフィルター２に取り付けた鍋(容器)の把持部材３である。鍋(容器)４をかたむけて液体６だけをこしているところである。容器４’に液体はそそがれている。鍋(容器）が透明であるため鍋(容器)の内側の把持部材３や内容物が見えている。
【００２６】
図１３は請求項４の濾過器具３００である。
濾過器具３００では把持部材は、開閉自在でありかつ鍋(容器)４の側面を把持する方向に弾性的に付勢されたクリップ３’でできており、当該クリップ３’は鍋(容器）４の側面に装着されたときに、フィルター２の一部が鍋(容器）４の開口縁よりも上方に係止されるようストッパー７を有している。クリップ型把持部材３’の摘み３’’に指にて力を加えるだけで鍋（容器）に取り付けることができる。熱い鍋に着脱する時に特に安全である。
【００２７】
図１４は濾過器具３００の側面図である。２はフィルターであり７は鍋を係止するストッパーである。３'はクリップ型把持部材であり、３”はクリップの摘みである。
【００２８】
図１５は濾過器具３００を鍋（容器）４に取り付けたところの斜視図である。３’はクリップ型把持部材であり、３"はクリップ型把持部材の摘みであり、２はフィルターである。この濾過器具の特徴は摘み３”に力を加えるだけで簡単に着脱でき熱い鍋（容器）において特に安全である。その他の効果は濾過器具１００と同じである。４は鍋(容器)である。
【００２９】
図１６は濾過器具３００を鍋(容器)４に取り付けたところの側面図である。３"はクリップの摘みであり３’は鍋(容器)４を把持するクリップ型把持部材である。透明の鍋(容器)４なので鍋(容器)４の内側の把持部材３’は見えているが本来は見えていない、内容物５と６もそうである。７はフィルターが落ち込まないよう鍋(容器)を係止するストッパーである。
【００３０】
図１７は濾過器具４００の斜視図である。濾過器具４００は濾過器具２００の把持部材をクリップ型にした濾過器具である。２はフィルターであり、３’はクリップ型把持部材である。３”はクリップの摘みである。４は鍋(容器)である。
【００３１】
図１８はフィルターの中心部のみ液の通過を許すように、当該中央にのみ網を有する濾過器具５００である。３"はクリップ型把持部材の摘みであり３'はクリップ型把持部材である。
【００３２】
図１９は漏斗状の濾過器具６００である。１は濾過器具６００の取っ手である、２は漏斗状のフィルターである。３はフィルターの把持部材である。８は注ぎ口であり９は液の通過を許す網状の部分である。
【００３３】
図２０は板状網材でできた濾過器具７００の斜視図である。１は取っ手であり２はフィルターであり３は把持部材であり４は鍋（容器）である。フィルター２に取り付けられたパッキング１０は耐熱性の弾性体の素材でできており、フィルター２と鍋(容器)４の隙間を埋めるものである。これにより鍋(容器)の液体が隙間から漏れることなく無駄なく次の容器に注がれる。
【符号の説明】
【００３４】
１００    半円球状の網材でできた濾過器具
２００    フィルターの上端が内側に湾曲している濾過器具
２００A  フィルターの上端が内側に湾曲していない濾過器具                                ３００    把持部材をクリップ型にした濾過器具
４００    濾過器具２００の把持部材をクリップ型にした濾過器具
５００    フィルターの網材を中央部に縮小した濾過器具
６００    フィルターを漏斗状にした濾過器具
７００    濾過器具２００に液漏れ防止パッキングを取り付けた濾過器具
１        濾過器具の取っ手
２        濾過器具のフィルター
３        濾過器具の把持部
３’      濾過器具のクリップ型把持部材
３”      濾過器具のクリップの摘み
４        鍋(容器) 
４’      注がれる容器
５        固形物
６        液体
７        濾過器具３００が鍋の開口縁よりも上方に位置するように鍋(容器）を係止するためのストッパー    
８        漏斗型の注ぎ口
９        注ぎ口８に設置されたフィルター
１０      フィルターと鍋(容器)の間を埋めるパッキング
ａ      把持部材の延出部位
【図１】
2014210204.tif 000003
【図２】
2014210204.tif 000004
【図３】
2014210204.tif 000005
【図４】
2014210204.tif 000006
【図５】
2014210204.tif 000007
【図６】
2014210204.tif 000008
【図７】
2014210204.tif 000009
【図８】
2014210204.tif 000010
【図９】
2014210204.tif 000011
【図１０】
2014210204.tif 000012
【図１１】
2014210204.tif 000013
【図１２】
2014210204.tif 000014
【図１３】
2014210204.tif 000015
【図１４】
2014210204.tif 000016
【図１５】
2014210204.tif 000017
【図１６】
2014210204.tif 000018
【図１７】
2014210204.tif 000019
【図１８】
2014210204.tif 000020
【図１９】
2014210204.tif 000021
【図２０】
2014210204.tif 000022